(57)【要約】【課題】大掛かりな電気工事を行わなくても、交流線での電圧を知ることできる電圧測定装置を提供する。【解決手段】電圧測定装置が、第１導電性端子８ａと第１測定対象物２ａとの間で静電容量を生成する第１プローブ８、第２導電性端子９ａと第２測定対象物２ｂとの間で静電容量を生成する第２プローブ９、及び、第１導電性端子８ａと第２導電性端子９ａとの間の電位差に基づいて第１測定対象物２ａと第２測定対象物２ｂとの間の電位差を判定する電位差測定部を備え、第１プローブ８の外形は第１測定対象物としての第１電圧線２ａを囲むように設置された第１磁性体コア６ａと第１電圧線２ａとの間で嵌まる形状になっている。【選択図】図３
2020159843.tif 000002
【特許請求の範囲】
【請求項１】
電気設備の中の第１測定対象物と第２測定対象物との間の電位差を測定する電圧測定装置であって、
前記電気設備は、単相３線式の交流線を構成する第１電圧線を囲む環状の第１磁性体コアと、当該第１磁性体コアの一部に複数回巻き付けられた二次側巻線と、当該二次側巻線に接続される第１出力線とを有し、前記第１電圧線に流れる一次電流に応じて前記第１出力線を流れる二次電流を計測する第１電流計測器を備え、
第１導電性端子と当該第１導電性端子の表面を覆う第１絶縁性部材とを有し、前記第１測定対象物と近接して設置されることで、前記第１導電性端子と前記第１測定対象物との間で静電容量を生成する第１プローブ、
第２導電性端子と当該第２導電性端子の表面を覆う第２絶縁性部材とを有し、前記第２測定対象物と近接して設置されることで、前記第２導電性端子と前記第２測定対象物との間で静電容量を生成する第２プローブ、及び、
前記第１導電性端子と前記第２導電性端子との間の電位差に基づいて、前記第１測定対象物と前記第２測定対象物との間の電位差を判定する電位差測定部を備え、
前記第１プローブの外形は、前記第１測定対象物としての前記第１電圧線を囲むように設置された前記第１磁性体コアと当該第１電圧線との間で嵌まる形状になっている電圧測定装置。
【請求項２】
前記第１プローブの外形は楔形である請求項１に記載の電圧測定装置。
【請求項３】
前記電気設備は、単相３線式の前記交流線を構成する第２電圧線を囲む環状の第２磁性体コアと、当該第２磁性体コアの一部に複数回巻き付けられた二次側巻線と、当該二次側巻線に接続される第２出力線とを有し、前記第２電圧線に流れる一次電流に応じて前記第２出力線を流れる二次電流を計測する第２電流計測器を備え、
前記第２プローブの外形は、前記第２測定対象物としての前記第２電圧線を囲むように設置された前記第２磁性体コアと当該第２電圧線との間で嵌まる形状になっている請求項１又は２に記載の電圧測定装置。
【請求項４】
前記第２プローブの外形は楔形である請求項３に記載の電圧測定装置。
【発明の詳細な説明】
【技術分野】
【０００１】
本発明は、電気設備の中の第１測定対象物と第２測定対象物との間の電位差を測定する電圧測定装置に関する。
【背景技術】
【０００２】
家屋等の施設では、電力系統に接続される主幹ブレーカが分電盤に設けられ、その主幹ブレーカを経由して電力の供給を受けることができる。また、施設内では、主幹ブレーカの二次側に、複数の分岐ブレーカが主幹ブレーカから見て並列に接続され、それら分岐ブレーカの二次側に、各種の電力負荷装置などが接続されるような電気設備が構築されている。
【０００３】
太陽電池などの電源装置を施設に設置する場合、特許文献１に記載のように、電源装置用の専用ブレーカ（自家発電用主幹開閉器１１）を分岐ブレーカ（分岐開閉器１２）と並列に主幹ブレーカ（商用電源用主幹開閉器６）の二次側に増設し、その専用ブレーカに電源装置（太陽電池Ｅ２）を接続することが行われている。この場合、電源装置には二つの電圧線と中性線とが接続されており、電源装置は交流２００Ｖ電源として機能する。
【先行技術文献】
【特許文献】
【０００４】
【特許文献１】特許第３５３１４０８号公報
【発明の概要】
【発明が解決しようとする課題】
【０００５】
特許文献１では、交流２００Ｖ電源として機能する電源装置を設置しているが、交流１００Ｖ電源として機能する電源装置を設置する場合も有り得る。その場合、電源装置が、電力系統に接続される主幹ブレーカの二次側の、第１電圧線及び第２電圧線及び中性線を有する単相３線式の交流線のうち、第１電圧線又は第２電圧線と、中性線とに接続される場合を想定できる。
【０００６】
この場合、電源装置が接続される一つの電圧線及び中性線の間の電位差は１００Ｖとなる。例えば、図１に示す分散型電源システムでは、電源装置１０が、第１電圧線２ａ及び中性線２ｃという２線に接続された１００Ｖ用の分岐ブレーカ４ｃの二次側に交流１００Ｖ電源として接続されている場合を示している。このような分散型電源システムにおいて、例えば主幹ブレーカの一次側の電力系統で断線が発生した場合には、電源装置を停止することが求められる場合がある。そのため、電源装置１０は、自身が接続されていない方の電圧線と電力系統との間での断線の可能性が高いことを検出することが必要になる。
【０００７】
尚、二つの電圧線の電圧を直接測定するような電圧測定装置を設置すれば、電源装置が接続されている電圧線と、電源装置が接続されていない電圧線の両方の電圧を測定できる。その結果、電力系統と電圧線との間で断線が発生した場合には、その発生を迅速に検出できる。
【０００８】
但し、二つの電圧線の電圧を直接測定するような電圧測定装置を実現しようとすると、１００Ｖの電圧が加わる高電圧の配線を新たに設置しなければならない。そのため、大掛かりな電気工事が必要になるという問題がある。
更に、電圧線での電位を測定するために電圧測定装置が備えるプローブが、電圧線に対して確実に固定されていない場合には、正しい検出結果が得られないという問題もある。
【０００９】
本発明は、上記の課題に鑑みてなされたものであり、その目的は、大掛かりな電気工事を行わなくても、交流線での電圧を知ることできる電圧測定装置を提供する点にある。
【課題を解決するための手段】
【００１０】
上記目的を達成するための本発明に係る電圧測定装置の特徴構成は、電気設備の中の第１測定対象物と第２測定対象物との間の電位差を測定する電圧測定装置であって、
前記電気設備は、単相３線式の交流線を構成する第１電圧線を囲む環状の第１磁性体コアと、当該第１磁性体コアの一部に複数回巻き付けられた二次側巻線と、当該二次側巻線に接続される第１出力線とを有し、前記第１電圧線に流れる一次電流に応じて前記第１出力線を流れる二次電流を計測する第１電流計測器を備え、
第１導電性端子と当該第１導電性端子の表面を覆う第１絶縁性部材とを有し、前記第１測定対象物と近接して設置されることで、前記第１導電性端子と前記第１測定対象物との間で静電容量を生成する第１プローブ、
第２導電性端子と当該第２導電性端子の表面を覆う第２絶縁性部材とを有し、前記第２測定対象物と近接して設置されることで、前記第２導電性端子と前記第２測定対象物との間で静電容量を生成する第２プローブ、及び、
前記第１導電性端子と前記第２導電性端子との間の電位差に基づいて、前記第１測定対象物と前記第２測定対象物との間の電位差を判定する電位差測定部を備え、
前記第１プローブの外形は、前記第１測定対象物としての前記第１電圧線を囲むように設置された前記第１磁性体コアと当該第１電圧線との間で嵌まる形状になっている点にある。
【００１１】
上記特徴構成によれば、電圧測定装置が備える第１プローブの外形は、第１測定対象物としての第１電圧線を囲むように設置された第１磁性体コアと当該第１電圧線との間で嵌まる形状になっている。つまり、第１磁性体コアとその第１電圧線との間に第１プローブを嵌めることで、第１電圧線に対して第１プローブが確実に固定される。第１プローブは第１電圧線に対してほとんど動かなくなるので、第１測定対象物としての第１電圧線と第１プローブの第１導電性端子との間に生成される静電容量もほとんど変化しない。その結果、電位差測定部が判定する第１測定対象物と第２測定対象物との間の電位差の一貫性が確保される。
加えて、第１導電性端子と所定のインピーダンスと第２導電性端子とを順につなぐ電気回路には、第１電圧線及び第２電圧線のような大電圧は印加されないので、この電圧測定装置を設置するために大掛かりな電気工事を行う必要はない。
従って、大掛かりな電気工事を行わなくても、交流線での電圧を知ることできる電圧測定装置を提供できる。
【００１２】
本発明に係る電圧測定装置の別の特徴構成は、第１プローブの外形は楔形である点にある。
【００１３】
上記実施形態によれば、第１プローブの外形は楔形であるため、第１磁性体コアと第１電圧線との間の隙間の大きさが様々であっても、第１プローブはその大きさに対応した状態でその隙間に挟まり込むことができる。
【００１４】
本発明に係る電圧測定装置の更に別の特徴構成は、前記電気設備は、単相３線式の前記交流線を構成する第２電圧線を囲む環状の第２磁性体コアと、当該第２磁性体コアの一部に複数回巻き付けられた二次側巻線と、当該二次側巻線に接続される第２出力線とを有し、前記第２電圧線に流れる一次電流に応じて前記第２出力線を流れる二次電流を計測する第２電流計測器を備え、
前記第２プローブの外形は、前記第２測定対象物としての前記第２電圧線を囲むように設置された前記第２磁性体コアと当該第２電圧線との間で嵌まる形状になっている点にある。
【００１５】
上記特徴構成によれば、電圧測定装置が備える第２プローブの外形は、第２測定対象物としての第２電圧線を囲むように設置された第２磁性体コアとその第２電圧線との間で嵌まる形状になっている。つまり、第２磁性体コアとその第２電圧線との間に第２プローブを嵌めることで、第２電圧線に対して第２プローブが確実に固定される。第２プローブが第２電圧線に対してほとんど動かないので、第２測定対象物としての第２電圧線と第２プローブの第２導電性端子との間に生成される静電容量もほとんど変化しない。その結果、電位差測定部が判定する第１測定対象物と第２測定対象物との間の電位差の一貫性が確保される。
加えて、第１導電性端子と所定のインピーダンスと第２導電性端子とを順につなぐ電気回路には、第１電圧線及び第２電圧線のような大電圧は印加されないので、この電圧測定装置を設置するために大掛かりな電気工事を行う必要はない。
【００１６】
本発明に係る電圧測定装置の更に別の特徴構成は、第２プローブの外形は楔形である点にある。
【００１７】
上記実施形態によれば、第２プローブの外形は楔形であるため、第２磁性体コアと第２電圧線との間の隙間の大きさが様々であっても、第２プローブはその大きさに対応した状態でその隙間に挟まり込むことができる。
【図面の簡単な説明】
【００１８】
【図１】電圧測定装置が設けられる分散型電源システムの構成を示す図である。
【図２】電流計測器の構造を示す図である。
【図３】電圧測定装置のプローブの設置状態を説明する断面図である。
【発明を実施するための形態】
【００１９】
以下に図面を参照して本発明の実施形態に係る電圧測定装置２０について説明する。
図１は、電圧測定装置２０が設けられる分散型電源システムの構成を示す図である。図示するように、分散型電源システムは、電力系統１に連系される電源装置１０を備える。電源装置１０は、電力系統１に接続される主幹ブレーカ３の二次側の、第１電圧線２ａ及び第２電圧線２ｂ及び中性線２ｃを有する単相３線式の交流線２のうち、第１電圧線２ａ又は第２電圧線２ｂと、中性線２ｃとに接続される交流１００Ｖ電源である。図１に示す例では、電源装置１０は、第１電圧線２ａと中性線２ｃとに接続され、第２電圧線２ｂには接続されていない。
【００２０】
図１に示す例では、第１電圧線２ａに１００Ｖ負荷としての電力消費装置４が接続されて、第１電圧線２ａに供給される電力を消費する。また、第２電圧線２ｂに１００Ｖ負荷としての電力消費装置５が接続されて、第２電圧線２ｂに供給される電力を消費する。
【００２１】
電源装置１０は、電源部１２と、電源部１２から供給される電力を所望の電圧、周波数、位相の電力に変換するインバータなどの電力変換回路部１１と、電力変換回路部１１及び電源部１２の動作を制御する制御部１３とを有する。この制御部１３は、電源装置１０の動作を制御する機能を有する本発明の制御装置でもある。電源部１２は、発電装置や充放電装置などを用いて構成される。例えば、発電装置としては、燃料電池を備える装置や、エンジンとそのエンジンによって駆動される発電機とを備える装置などの様々な装置を用いることができる。充放電装置としては、リチウムイオン電池、ニッケル水素電池、鉛電池などの蓄電池（化学電池）や、キャパシタ、フライホイールなどの様々な装置を用いることができる。
【００２２】
図１に示す電気設備には、電源装置１０が接続されている接続側電圧線（第１電圧線２ａ及び第２電圧線２ｂのうちの一方）を流れる電流を計測するための接続側電流計測器（電流計測器６，７）と、電源装置１０が接続されていない非接続側電圧線（第１電圧線２ａ及び第２電圧線２ｂのうちの他方）を流れる電流を計測するための非接続側電流計測器（電流計測器６，７）とが設けられる。
【００２３】
図１に示す例では電源装置１０は第１電圧線２ａに接続されているため、第１電圧線２ａが接続側電圧線になり、第２電圧線２ｂが非接続側電圧線になる。
また、電流計測器６が接続側電流計測器になり、電流計測器７が非接続側電流計測器になる。
【００２４】
図２は、電流計測器６（７）の構造を示す図である。尚、電流計測器６及び電流計測器７は同じ構造であるので、図２を用いて両方の構造の説明を行う。
【００２５】
電流計測器６は、単相３線式の交流線２を構成する第１電圧線２ａを囲む環状の第１磁性体コア６ａと、第１磁性体コア６ａの一部に複数回巻き付けられた二次側巻線６ｂと、二次側巻線６ｂに接続される第１出力線６ｃとを有し、第１電圧線２ａに流れる一次電流に応じて第１出力線６ｃを流れる二次電流を計測する。その結果、二次電流の値に基づいて、第１電圧線２ａに流れる一次電流を決定できる。
【００２６】
電流計測器７は、単相３線式の交流線２を構成する第２電圧線２ｂを囲む環状の第２磁性体コア７ａと、第２磁性体コア７ａの一部に複数回巻き付けられた二次側巻線７ｂと、二次側巻線７ｂに接続される第２出力線７ｃとを有し、第２電圧線２ｂに流れる一次電流に応じて第２出力線７ｃを流れる二次電流を計測する。その結果、二次電流の値に基づいて、第２電圧線２ｂに流れる一次電流を決定できる。
【００２７】
電流計測器６の出力及び電流計測器７の出力は電源装置１０の制御部１３に伝達され、制御部１３において、例えば電力系統１への逆潮流電力などを判別するために利用される。
【００２８】
分散型電源システムには電圧測定装置２０が設けられる。電圧測定装置２０は、第１プローブ８、第２プローブ９、及び、電位差測定部２２を備える。加えて、電圧測定装置２０は、第１配線２５及び第２配線２６を備える。第１プローブ８は、第１導電性端子８ａとその第１導電性端子８ａの表面を覆う第１絶縁性部材８ｂとを有し、第１電圧線２ａ（第１測定対象物）と近接して設置されることで、第１導電性端子８ａと第１電圧線２ａとの間で静電容量を生成する。第２プローブ９は、第２導電性端子９ａとその第２導電性端子９ａの表面を覆う第２絶縁性部材９ｂとを有し、第２電圧線２ｂ（第２測定対象物）と近接して設置されることで、第２導電性端子９ａと第２電圧線２ｂとの間で静電容量を生成する。抵抗器２１は、一端側が第１配線２５を介して第１導電性端子８ａに接続され且つ他端側が第２配線２６を介して第２導電性端子９ａに接続される。電圧測定装置２０は、第１導電性端子８ａと第２導電性端子９ａとの間の電位差に基づいて、第１電圧線２ａと第２電圧線２ｂとの間の電位差を判定する。本実施形態では、第１導電性端子８ａと所定のインピーダンスと第２導電性端子９ａとを順につなぐ電気回路、即ち、第１電圧線２ａと第１導電性端子８ａと第１配線２５と抵抗器２１と第２配線２６と第２導電性端子９ａと第２電圧線２ｂとを順につなぐ電気回路、に流れる電流により抵抗器２１で発生するその抵抗器２１の両端の電位差に基づいて、第１電圧線２ａと第２電圧線２ｂとの間の電位差を判定する。
【００２９】
図３は、電圧測定装置２０の第１プローブ８（第２プローブ９）の設置状態を説明する断面図である。尚、第１電圧線２ａに対する第１プローブ８の設置状態と第２電圧線２ｂに対する第２プローブ９の設置状態は同様であるので、図３を用いて両方の構造の説明を行う。
【００３０】
図３に示すように、第１電圧線２ａは環状の第１磁性体コア６ａによって囲まれている。そして、第１プローブ８の外形（第１絶縁性部材８ｂの外形）は、第１電圧線２ａを囲むように設置された第１磁性体コア６ａとその第１電圧線２ａとの間で嵌まる形状になっている。尚、図３に示す例では、第１磁性体コア６ａの外側が第１カバー部材６ｄで覆われているため、第１プローブ８の第１絶縁性部材８ｂが直接接触するのは第１電圧線２ａ及び第１カバー部材６ｄであるが、第１プローブ８の第１絶縁性部材８ｂが、第１磁性体コア６ａと第１電圧線２ａとの間で挟まっていることに違いはない。第１プローブ８の外形がこのような形状になっていることで、第１プローブ８は第１電圧線２ａに対して確実に固定される。特に、第１プローブ８の外形が楔形であれば、第１磁性体コア６ａと第１電圧線２ａとの間の隙間の大きさが様々であっても、第１プローブ８はその大きさに対応した状態でその隙間に挟まり込むことができる。
【００３１】
同様に、第２電圧線２ｂは感情の第２磁性体コア７ａによって囲まれている。そして、第２プローブ９の外形（第２絶縁性部材９ｂの外形）は、第２電圧線２ｂを囲むように設置された第２磁性体コア７ａとその第２電圧線２ｂとの間で嵌まる形状になっている。尚、図３に示す例では、第２磁性体コア７ａの外側が第２カバー部材７ｄで覆われているため、第２プローブ９の第２絶縁性部材９ｂが直接接触するのは第２電圧線２ｂ及び第２カバー部材７ｄであるが、第２プローブ９の第２絶縁性部材９ｂが、第２磁性体コア７ａと第２電圧線２ｂとの間で挟まっていることに違いはない。第２プローブ９の外形がこのような形状になっていることで、第２プローブ９は第２電圧線２ｂに対して確実に固定される。特に、第２プローブ９の外形が楔形であれば、第２磁性体コア７ａと第２電圧線２ｂとの間の隙間の大きさが様々であっても、第２プローブ９はその大きさに対応した状態でその隙間に挟まり込むことができる。
【００３２】
第１電圧線２ａと第１導電性端子８ａとの間には第１絶縁性部材８ｂが存在しており、第１電圧線２ａと第１導電性端子８ａとの間に静電容量が生成される。また、第２電圧線２ｂと第２導電性端子９ａとの間には第２絶縁性部材９ｂが存在しており、第２電圧線２ｂと第２導電性端子９ａとの間に静電容量が生成される。これらの静電容量が生成されることで、第１電圧線２ａと第１導電性端子８ａと第１配線２５と抵抗器２１と第２配線２６と第２導電性端子９ａと第２電圧線２ｂとを順につなぐ電気回路に電流が流れる。
【００３３】
このように、第１磁性体コア６ａと第１電圧線２ａとの間に第１プローブ８を嵌めることで、第１電圧線２ａに対して第１プローブ８が確実に固定される。第１プローブ８は第１電圧線２ａに対してほとんど動かなくなるので、第１電圧線２ａと第１プローブ８の第１導電性端子８ａとの間に生成される静電容量もほとんど変化しない。その結果、電位差測定部２２が判定する第１電圧線２ａと第２電圧線２ｂとの間の電位差の一貫性が確保される。加えて、第１電圧線２ａと第１導電性端子８ａと第１配線２５と抵抗器２１と第２配線２６と第２導電性端子９ａと第２電圧線２ｂとを順につなぐ電気回路には、第１電圧線２ａ及び第２電圧線２ｂのような大電圧は印加されないので、この電圧測定装置２０を設置するために大掛かりな電気工事を行う必要はない。
【００３４】
同様に、第２磁性体コア７ａと第２電圧線２ｂとの間に第２プローブ９を嵌めることで、第２電圧線２ｂに対して第２プローブ９が確実に固定される。第２プローブ９が第２電圧線２ｂに対してほとんど動かないので、第２電圧線２ｂと第２プローブ９の第２導電性端子９ａとの間に生成される静電容量もほとんど変化しない。その結果、電位差測定部２２が判定する第１電圧線２ａと第２電圧線２ｂとの間の電位差の一貫性が確保される。加えて、第１電圧線２ａと第１導電性端子８ａと第１配線２５と抵抗器２１と第２配線２６と第２導電性端子９ａと第２電圧線２ｂとを順につなぐ電気回路には、第１電圧線２ａ及び第２電圧線２ｂのような大電圧は印加されないので、この電圧測定装置２０を設置するために大掛かりな電気工事を行う必要はない。
【００３５】
また、図３に示すように、第１プローブ８の第１絶縁性部材８ｂは第１磁性体コア６ａと第１電圧線２ａとの間に嵌まり込んでいるが、第１プローブ８の第１導電性端子８ａは第１磁性体コア６ａと第１電圧線２ａとの間に嵌まり込んでいない。同様に、第２プローブ９の第２絶縁性部材９ｂは第２磁性体コア７ａと第２電圧線２ｂとの間に嵌まり込んでいるが、第２プローブ９の第２導電性端子９ａは第２磁性体コア７ａと第２電圧線２ｂとの間に嵌まり込んでいない。
【００３６】
そして、制御部１３は、電源装置１０から第１電圧線２ａに電力を供給している間に抵抗器２１の両端の電位差が基準電位差以下になると、第２電圧線２ｂと電力系統１との接続に異常が発生したと判定する。この場合、基準電位差は、第２電圧線２ｂと電力系統１との接続が正常である間に電位差測定部２２で測定された実測電位差に基づいて定められる。例えば、基準電位差は、実測電位差の二分の一の値に設定される。
【００３７】
具体的に説明すると、第１電圧線２ａ及び第２電圧線２ｂと電力系統１との間に断線などが発生しておらず、第１電圧線２ａ及び第２電圧線２ｂが電力系統１と正常に接続されている場合、第１電圧線２ａと第２電圧線２ｂとの間の電位差は２００Ｖになる。この場合、上述したように、電圧測定装置２０の抵抗器２１には交流電流が流れ、電位差測定部２２によって抵抗器２１の両端の電位差を測定できる。そして、制御部１３は、第２電圧線２ｂと電力系統１との接続が正常である間に電位差測定部２２で測定された、抵抗器２１の両端の電位差を実測電位差として記憶する。
【００３８】
尚、第２電圧線２ｂと電力系統１との接続が断線等により正常ではなくなると、電位差測定部２２で測定される、抵抗器２１の両端の電位差は、実測電位差の二分の一以下になる。つまり、制御部１３は、第２電圧線２ｂと電力系統１との接続が正常である間に電位差測定部２２で測定された、抵抗器２１の両端の電位差である実測電位差の二分の一の値を基準電位差として記憶しておき、その後、抵抗器２１の両端の電位差が基準電位差以下になった場合には、第２電圧線２ｂと電力系統１との接続に断線などの異常が発生したと判定できる。その結果、制御部１３は、電源装置１０から交流線２への電力供給を停止させるといった処理を行うことができる。
【００３９】
＜別実施形態＞
＜１＞
上記実施形態では、本発明の電圧測定装置の構成について具体例を挙げて説明したが、その構成は適宜変更可能である。
【００４０】
＜２＞
上記実施形態（別実施形態を含む、以下同じ）で開示される構成は、矛盾が生じない限り、他の実施形態で開示される構成と組み合わせて適用でき、また、本明細書において開示された実施形態は例示であって、本発明の実施形態はこれに限定されず、本発明の目的を逸脱しない範囲内で適宜改変できる。
【産業上の利用可能性】
【００４１】
本発明は、大掛かりな電気工事を行わなくても、交流線での電圧を知ることできる電圧測定装置に利用できる。
【符号の説明】
【００４２】
２  交流線
２ａ  第１電圧線（第１測定対象物）
２ｂ  第２電圧線（第２測定対象物）
６  電流計測器
６ａ  第１磁性体コア
６ｂ  二次側巻線
６ｃ  第１出力線
７  電流計測器
７ａ  第２磁性体コア
７ｂ  二次側巻線
７ｃ  第２出力線
８  第１プローブ
８ａ  第１導電性端子
８ｂ  第１絶縁性部材
９  第２プローブ
９ａ  第２導電性端子
９ｂ  第２絶縁性部材
２０  電圧測定装置
２１  抵抗器
２２  電位差測定部
２５  配線（第１配線）
２６  配線（第２配線）
【図１】
2020159843.tif 000003
【図２】
2020159843.tif 000004
【図３】
2020159843.tif 000005